(57)【要約】【課題】本体ケースの内部にイオン発生装置を組み込んである携帯用ブラシにおいて、折り畳み自在な第１ケースと第２ケースとの内部に、イオン発生のための機器を合理的に配置して、持ち重りを解消し、使い勝手の良さを向上する。【解決手段】本体ケース１が、連結軸５を介して折り畳み開閉自在に連結してある第１ケース３と第２ケース４とで構成されている。第１ケース３の内部には、マイナスイオンを発生するためのトランス１１と放電体１２とを配置する。トランス１１は第１ケース３内の連結軸５寄りに配置する。第２ケース４の内部には、乾電池８と、イオン発生回路を含む回路基板９とを配置する。放電体１２は第１ケース３のほぼ中央に配置する。トランス１１は放電体１２と連結軸６との間に配置する。【選択図】　　　　図１
2004127717.tif 000002
【特許請求の範囲】
【請求項１】
本体ケース１の内部にイオン発生装置を組み込んである小型電気機器であって、
本体ケース１が、連結軸５を介して折り畳み開閉自在に連結される第１ケース３と第２ケース４とで構成されており、
第１ケース３の内部にマイナスイオンを発生させるためのトランス１１と、放電体１２とが配置されており、
トランス１１が、第１ケース３内において連結軸５寄りに配されている小型電気機器。
【請求項２】
第２ケース４の内部に、電池８と、イオン発生回路を含む回路基板９とが配置されている請求項１記載の小型電気機器。
【請求項３】
放電体１２が、第１ケース３のほぼ中央に配され、
トランス１１が、放電体１２と連結軸５との間に配されている請求項２記載の小型電気機器。
【請求項４】
第１ケース３の内部に、マイナスイオンをケース外へ送出する送風ファン１３と、送風ファン１３を回転駆動するモーター１４とを備えており、
送風ファン１３およびモーター１４が、放電体１２と第１ケース３の遊端との間に配されている請求項３記載の小型電気機器。
【請求項５】
第１ケース３の内部がトランス１１の平坦周壁１１ａを利用して、連結軸５に近い第１室６２と、連結軸５から離れる第２室６３とに区分されており、
第２室６３の内部に、放電体１２と送風ファン１３とモーター１４とが配置されている請求項４記載の小型電気機器。
【請求項６】
第１ケース３と第２ケース４とに、それぞれ連結軸５で連結される連結ボス２３・３７が設けられており、
第１ケース３内のトランス１１、放電体１２およびモーター１４と、第２ケース４内の回路基板９とが、連結ボス２３・３７の内面に沿って配線されたリード線群で電気的に接続されており、
トランス１１の１次巻線および２次巻線、放電体１２、モーター１４の各マイナスリード線が、第１ケース３の連結軸５の近傍に配置した中継基板１５で集約されて１本化されており、
連結ボス２３・３７を通り抜けるリード線群が、トランス１１およびモーター１４からそれぞれ導出される２本のプラスリード線と、１本化されたマイナスリード線とに集約されている請求項４記載の小型電気機器。
【請求項７】
第１ケース３および第２ケース４が、それぞれ側面が開口する内ケース３Ａ・４Ａと、内ケース３Ａ・４Ａの開口側面を塞ぐケース蓋３Ｂ・４Ｂと、内ケース３Ａ・４Ａおよびケース蓋３Ｂ・４Ｂに外嵌固定される外ケース３Ｃ・４Ｃとで内外２重構造に形成されている請求項１記載の小型電気機器。
【請求項８】
第２ケース４に設けた電池室３８の開口４０が着脱自在な電池蓋３２で覆われており、
電池蓋３２は、第１ケース３と第２ケース４とを折り畳んだ状態において第１ケース３と対向するケース表面に配されていて、グリップの一部を構成しており、
第２ケース４に電池蓋３２を装着した状態において、電池蓋３２の表面に形成した導電面４２が、電池８の負極側の接続端子に導通してある請求項２記載の小型電気機器。
【請求項９】
第２ケース４に設けた電池室３８の開口４０が着脱自在な電池蓋３２で覆われており、
電池蓋３２を開放付勢する弾性開放具８３が第２ケース４内に設けられており、
第２ケース４に電池蓋３２を装着した状態において、電池蓋３２の表面に形成した導電面４２が弾性開放具８３を利用してマイナスリードに導通してある請求項２記載の小型電気機器。
【請求項１０】
電池蓋３２の外表面が外膨らみ状に湾曲するよう形成されている請求項８記載の小型電気機器。
【発明の詳細な説明】
【０００１】
【発明の属する技術分野】
本発明は、イオン発生装置を備えた小型電気機器、例えばイオン発生装置を備えている毛髪用の携帯ブラシに関する。
【０００２】
【従来の技術】
髪用ブラシにおいて、ブラシ本体の内部に、オゾンまたはイオンの発生装置と、送風ファンとを設けることは公知である（例えば特許文献１および特許文献２参照）。イオン発生装置を付加したヘアードライヤーもある（特許文献３参照）。特許文献１および特許文献２の髪用ブラシにおいては、オゾンまたはイオンを発生する放電電極や、放電電流を調整するための電源回路、および送風ファンなどが、中空のブラシ本体の内部に収容されている。電源回路はパルス電流を発生するパルス電流発生回路と、昇圧トランスなどで構成してあり、昇圧トランスで生成した高圧電流を放電電極で放電して、オゾンまたはマイナスイオンを発生させている。
【０００３】
【特許文献１】
実開平３−７４８１９号公報（６頁、第１図）
【特許文献２】
特開昭６０−１６０９０４号公報（２頁、第２図）
【特許文献３】
実公昭５８−１６３２３号公報（２−３頁、第１図）
【０００４】
【発明が解決しようとする課題】
この種の小型電気機器においては、ケース構造によって、イオン（またはオゾン）発生のための機器配置が比較的容易に行える場合と、そうではない場合とがある。本発明では、コンパクト化のために連結軸を介して折り畳み自在に連結される第１ケースと第２ケースとで本体ケースを構成する。このような折り畳み型の本体ケースの場合には、ケース内部が第１ケースと第２ケースとに完全に区分され、両ケースの内部にデッドスペースを生じやすいため、一体構造の本体ケースに比べて、先の機器類の配置を自由に行えず、使い勝手の点でも問題がある。とくに、小型で嵩張らないことが要求される携行用の小型電気機器の場合には、本体ケース自体がコンパクトに構成される関係で、先の機器類の配置に制約があるうえ、組み立てに多くの手間が掛かっていた。
【０００５】
本発明の目的は、本体ケースが折り畳み自在な第１ケースと第２ケースとからなる形式において、これらの内部にイオン発生のための機器を合理的に配することにより、より少ない手間で組み立てることができ、しかも使用者が使い勝手の良い小型電気機器を提供することにある。本発明の目的は、コンパクトに折り畳める携行用のへアーブラシ、中でもイオン発生機能を備えた携行用のへアーブラシを提供することにある。
【０００６】
【課題を解決するための手段】
本発明の小型電気機器は、本体ケース１の内部にイオン発生装置を組み込んである。その本体ケース１は、図１に示すごとく連結軸５を介して折り畳み開閉自在に連結される第１ケース３と第２ケース４とで構成する。第１ケース３の内部には、マイナスイオンを発生させるためのトランス１１と、放電体１２とが配置される。その際に、トランス１１は第１ケース３内において連結軸５寄りに配したことに特徴を有する。
【０００７】
具体的には、第２ケース４の内部に、電池８と、イオン発生回路を含む回路基板９とを配置する。放電体１２は、第１ケース３のほぼ中央に配し、トランス１１は放電体１２と連結軸５との間に配する。
【０００８】
第１ケース３の内部には、マイナスイオンをケース外へ送出する送風ファン１３と、送風ファン１３を回転駆動するモーター１４とを備えており、送風ファン１３およびモーター１４が、放電体１２と第１ケース３の遊端との間に配されている。
【０００９】
第１ケース３の内部は、トランス１１の平坦周壁１１ａを利用して、連結軸５に近い第１室６２と、連結軸５から離れる第２室６３とに区分し、第２室６３の内部に、放電体１２と送風ファン１３とモーター１４とを配置することができる。
【００１０】
第１ケース３と第２ケース４とには、それぞれ連結軸５で連結される連結ボス２３・３７を設ける。そして、第１ケース３内のトランス１１、放電体１２およびモーター１４と、第２ケース４内の回路基板９とは、連結ボス２３・３７の内面に沿って配線されたリード線群で電気的に接続する。トランス１１の１次巻線および２次巻線、放電体１２、モーター１４の各マイナスリード線は、第１ケース３の連結軸５の近傍に配置した中継基板１５で集約して１本化し、以て連結ボス２３・３７を通り抜けるリード線群は、トランス１１およびモーター１４からそれぞれ導出される２本のプラスリード線と、１本化されたマイナスリード線とに集約することができる。
【００１１】
第１ケース３および第２ケース４は、図３、図５、図７に示すごとく、それぞれ側面が開口する内ケース３Ａ・４Ａと、内ケース３Ａ・４Ａの開口側面を塞ぐケース蓋３Ｂ・４Ｂと、内ケース３Ａ・４Ａおよびケース蓋３Ｂ・４Ｂに外嵌固定される外ケース３Ｃ・４Ｃとで内外２重構造に形成することができる。
【００１２】
第２ケース４に設けた電池室３８の開口４０は、図７および図８に示すごとく着脱自在な電池蓋３２で覆うようにし、その電池蓋３２は、第１ケース３と第２ケース４とを折り畳んだ状態において第１ケース３と対向するケース表面に配されていて、グリップの一部を構成しており、第２ケース４に電池蓋３２を装着した状態において、電池蓋３２の表面に形成した導電面４２が、電池８の負極側の接続端子に導通することができる。
【００１３】
第２ケース４に設けた電池室３８の開口４０を着脱自在な電池蓋３２で覆う。電池蓋３２を開放付勢する弾性開放具８３を第２ケース４内に設ける。第２ケース４に電池蓋３２を装着した状態において、電池蓋３２の表面に形成した導電面４２を弾性開放具８３を利用してマイナスリードに導通する。その電池蓋３２の外表面は、外膨らみ状に湾曲するよう形成することが望まれる。
【００１４】
【発明の作用効果】
本発明では、本体ケース１が、連結軸５を介して折り畳み開閉自在に連結された第１ケース３と第２ケース４とで構成されている小型電気機器において、第１ケース３の内部に、マイナスイオンを発生させるためのトランス１１と放電体１２とを配置する際に、放電体１２に比べて重量の大きなトランス１１が第１ケース３内の連結軸５寄りに配されている。従って、第２ケース４を手づかみ用のグリップにして小型電気機器を使用するとき、第１ケース３に作用する重量モーメントや運動モーメントが小さくなり、その分だけ持ち重りがせず、取り扱いやすさが向上する。
【００１５】
第２ケース４の内部に他の電装品に比べると重い電池８が配されていると、第２ケース４をグリップにして小型電気機器を使用するとき、本体ケース１の全体に作用する重量モーメントおよび運動モーメントがさらに小さくなり、より持ち重りのしないものになる。
【００１６】
第１ケース３のほぼ中央に放電体１２を配し、放電体１２と連結軸５との間の第１ケース３内にトランス１１が配されていると、トランス１１と放電体１２とを接続する太い高圧リード線を最短距離で配線できる。因みに、第２ケース４内にトランス１１を配した場合には、高圧リード線の配線長さが長くなり、両ケース３・４の連結部を経由して配線する必要があるので、両ケース３・４を繰り返し開閉操作する際に、高圧リード線が折り曲げられて断線のおそれがあるが、本発明ではこうした不都合を避けられる利点もある。
【００１７】
送風ファン１３およびモーター１４が、放電体１２と第１ケース３の遊端との間に配されていると、重量が軽い送風ファン１３およびモーター１４を連結軸５から最も離れた位置に配置できるので、小型電気機器が持ち重りするのを避けながら、第１ケース３の内部スペースを有効利用でき、マイナスイオン発生装置を構成する電気部品を合理的に配置することができる。
【００１８】
トランス１１の平坦周壁１１ａを利用して、第１ケース３の内部を第１室６２と第２室６３とに区分し、第２室６３の内部に放電体１２と送風ファン１３とモーター１４とが配されていると、送風ファン１３から送給される空気流をトランス１１の平坦周壁１１ａで受け止めて吹出口４８へ変向案内できるので、第２室６３内での送風ファン１３による送風ロスを減少できるし、放電体１２で生成したマイナスイオンが中和されて消滅する量も減り、その分だけマイナスイオンの放出量を増加させることができる。
【００１９】
第１ケース３内に設けたトランス１１の１次巻線および２次巻線、放電体１２、モーター１４の各マイナスリード線は、第１ケース３の連結軸５の近傍に配置した中継基板１５で集約して１本化し、連結ボス２３・３７を通り抜けるリード線群が、トランス１１およびモーター１４からそれぞれ導出される２本のプラスリード線と、１本化されたマイナスリード線とに集約されていると、集約前の全てのリード線を連結ボス２３・３７に配線する場合に比べて、連結ボス２３・３７を通り抜けるリード線の数を半減できる分だけ、組み立てに要する手間を軽減できる。
【００２０】
第１ケース３および第２ケース４が、それぞれ側面が開口する内ケース３Ａ・４Ａと、内ケース３Ａ・４Ａの開口側面を塞ぐケース蓋３Ｂ・４Ｂと、内ケース３Ａ・４Ａおよびケース蓋３Ｂ・４Ｂに外嵌固定される外ケース３Ｃ・４Ｃとで内外２重構造に形成されていると、両ケース３・４に作用する外力を分散できるので、落下衝撃を受けるような場合にも、各ケース３・４内に収容の電装部品を確実に保護して、小型電気機器の耐久性を向上できる。イオン発生装置を構成する電装部品は、側面が開口する内ケース３Ａ・４Ａに対して開口側面から組み込めるので、電装部品をより少ない手間で組み立ることができる利点もある。
【００２１】
電池蓋３２の表面に形成した導電面４２を電池８の負極側の接続端子に導通させると、使用状態において電池蓋３２と接触する人体を介して電子を補充し、マイナスイオンの発生量を増強できる。電池蓋３２を利用して人体にアースするので、アース用の配線や電極などを第２ケース４に別途設ける必要がなく、その分だけ小型電気機器の全体構造を簡素化できる。
【００２２】
電池蓋３２を開放付勢する弾性開放具８０を第２ケース内に設け、この弾性開放具８０を利用して電池蓋３２をマイナスリードに導通すると、電池蓋３２をアースするための端子を別途設ける必要がなく、その分だけアース構造を簡素化できる。
【００２３】
電池蓋３２の外表面が外膨らみ状に湾曲形成されていると、手指や手のひらを導電面４２に確実に密着させて確実にアースをとることができる。
【００２４】
【実施例】
（実施例１）　図１ないし図１５は本発明に係る携帯用ブラシ（小型電気機器）の実施例を示す。図１および図３において、携帯用ブラシは折り畳み可能に構成した本体ケース１と、ブラシユニット２とを備えている。本体ケース１の内部にイオン発生装置が組み込まれている。
【００２５】
本体ケース１は、側面視がそれぞれ半円状に形成された第１ケース３と第２ケース４とを連結軸５で連結して構成してあり、第１・第２の両ケース３・４を円形に折り畳んだ図２の状態と、両ケース３・４をアラビア数字の３の字形に拡開した図１の状態とに揺動開閉できる。
【００２６】
ブラシユニット２は、第１ケース３における第２ケース４との対向面に装着してあり、両ケース３・４を拡開することにより髪を梳くことができる。このときの第２ケース４はグリップとして機能し、片手で掴むことができる。
【００２７】
図４においてマイナスイオン発生装置は、電源となる２個の乾電池（電池）８、イオン発生回路が実装された回路基板９、電源スイッチ１０、トランス１１、放電体１２、送風ファン１３およびそのモーター１４と、中継基板１５とを含む。これらのうち、乾電池８、回路基板９、電源スイッチ１０の三者は第２ケース４内に組み込まれており、残りの部品１１〜１５は第１ケース３内に組み込まれる。
【００２８】
図５および図６において第１ケース３は、ブラシユニット２が装着される内ケース３Ａと、内ケース３Ａの開口側面を塞ぐケース蓋３Ｂと、内ケース３Ａおよびケース蓋３Ｂに外嵌装着される透明の外ケース３Ｃと、内外両ケース３Ａ・３Ｃの間に挟み込まれて固定される３枚の装飾シート１８とで構成されている。装飾シート１８はポリカーボネートなどの樹脂シートからなる。
【００２９】
図５において内ケース３Ａは、ブラシユニット２が装着される基壁２０と、部分円弧状の周壁２１と、基壁２０および周壁２１につながり一側面を塞ぐ側壁２２と、基壁２０の一端に設けられる連結ボス２３とを一体に形成したプラスチック成形品である。内ケース３Ａ内には、放電体１２を差し込み装着するための一対のホルダー２４と、一方のホルダー２４と協働してトランス１１を支持する突起２５と、他方のホルダー２４と協働してモーター１４を支持するモーターホルダー２６とが形成してある。モーターホルダー２６と対向する周壁２１には吸風口２７が開口している。周壁２１の外面に被さる装飾シート１８にも、吸風口２７と同形の通口を形成しておく。基壁２０には、マイナスイオンを送出するための開口２８と、ブラシユニット２を掛け止めるための４個の装着穴が開口している。
【００３０】
外ケース３Ｃは、内ケース３Ａより一回り大きい弦月状のケース体からなり、先の吸風口２７と対向する壁面に吸込口３１が開口している。ケース蓋３Ｂおよび外ケース３Ｃは、それぞれ内ケース３Ａに熱溶着して固定する。装飾シート１８は内ケース３Ａの外周面に沿う形状に打ち抜いてあり、その外表面に色や模様などが印刷されている。装飾シート１８にも吸込口２７に対応する開口が形成されている。なお、色、絵柄、その他の図柄などが異なる多種類の装飾シート１８を用意しておけば、製造工程で所定の装飾シート１８を選び、これを内外両ケース３Ａ・３Ｃの間に挟むだけで、外観上の印象が異なるケース体を得ることができる。つまり、同一機種で表面装飾の異なる小型電気機器が低コストで得られる。また、透明の外ケース３Ｃは、顔料が混入していないのでリサイクルの面で有利である。
【００３１】
図７および図８において第２ケース４は、内ケース４Ａと、内ケース４Ａの開口面を塞ぐケース蓋４Ｂと、内ケース４Ａおよびケース蓋４Ｂに外嵌装着される透明の外ケース４Ｃと、電池蓋３２と、内外ケース４Ａ・４Ｃの間に挟み込まれる３枚の装飾シート３３とで構成されている。
【００３２】
内ケース４Ａは、図７に示すごとく基壁３４と、部分円弧状の周壁３５と、基壁３４および周壁３５につながり一側面を塞ぐ側壁３６と、基壁３４の一端に設けられる連結ボス３７とを一体に形成したプラスチック成形品である。内ケース４Ａ内には、乾電池８を収容する電池室３８が区画形成されており、その下側に開口側面より回路基板９を差し込み装填するための一対のホルダー３９が形成されている。基壁３４には乾電池８を出し入れするための開口４０を形成してある。この開口４０は電池蓋３２を長手方向へスライド操作することにより開閉できる。
【００３３】
外ケース４Ｃは、内ケース４Ａより一回り大きい弦月状のケース体からなる。ケース蓋４Ｂおよび外ケース４Ｃは、それぞれ内ケース４Ａに熱溶着で固定される。装飾シート３３は内ケース４Ａの外周面に沿う形状に打ち抜き形成してあり、その外表面に色や模様などが印刷してある。第２ケース４についても、第１ケース３と同様、色、絵柄、その他の図柄などが異なる多種類の装飾シート３３を用意しておけば、製造工程で所定の装飾シート３３を選びこれを内外両ケース４Ａ・４Ｃの間に挟むだけで、外観上の印象が異なるケース体を得られる。この場合、第１ケース３、第２ケース４の装飾シート１８・３３は同一色、同一絵柄とする方が好ましい。
【００３４】
電池蓋３２はプラスチック成形品からなり、その表面および裏面の全体に導電面４２が形成されている。電池蓋３２の裏面側にはＬ字状の係合爪８０・８１が一体に設けてあり、これらの係合爪８０・８１は、電池蓋３２を開口４０に被せ付けた状態でスライド操作することにより、第２ケース４に設けた爪受部８２と係合して、電池蓋３２を閉じ状態に保持できる。この閉じ状態において、導電面４２は電池室３８に組み込んだ弾性開放具８３を利用してマイナスリードに導通してある。そのことは後述する。弾性開放具８３は、コ字状の取付部８４と、弾性腕８５とを一体に折り曲げ形成したプレス金具からなり、弾性腕８５の突端に電池蓋３２の一方の係合爪８０と接当する接触部８６が山形に折り曲げてある。図４、図１２に示すように取付部８４は、電池８の負極側の接続端子を兼ねているので、電池蓋３２と弾性開放具８３と負極側の接続端子の三者は電気的に導通されている。すなわち、第２ケース４に電池蓋３２を装着した状態において、電池蓋３２の表面に形成した導電面４２が弾性開放具８３を利用してマイナスリードに導通してある。なお、図４に示される配線のうち、実線はプラスリードであり、点線はマイナスリードである。
【００３５】
図１２に示すように、電池蓋３２を開口４０に単に被せ付けた状態では、係合爪８０が接触部８６に受け止められるので、電池蓋３２の差し込み後端側は開口面から浮き離れている。この状態の電池蓋３２を弾性腕８５の弾性に抗して押し込み操作し、さらに電池蓋３２を閉じ方向へスライド操作することにより、想像線で示すように係合爪８０が爪受部８２と係合できる。この状態から、電池蓋３２を開き方向へスライド操作すると、係合爪８０と爪受部８２との係合が解除された時点で、電池蓋３２が接触部８６に押し上げられるので、電池蓋３２を簡単に取り外すことができる。
【００３６】
先に説明したように、第２ケース４はグリップとして機能するが、第２ケース４を握り締めた状態においては、電池蓋３２の導電面に４２に使用者の手のひらや指が接触する。そのため、イオン発生装置でマイナスイオンが発生する際に、人体側からイオン発生装置のマイナスリードに対して大量の電子を補給でき、その分だけマイナスイオンの発生量が増加する。このイオン増量作用を確認するために、本発明者等はテストをおこなった。詳しくは、ブラシユニット２の吹出口４８から１５ｃｍ離れた位置にイオン量測定装置を配置し、人の手が電池蓋３２に接触していない状態と、人の手が電池蓋３２に接触した状態とで、マイナスイオンの発生量がどのように変化するかをテストした。その結果、人の手が電池蓋３２に接触していない状態におけるマイナスイオンの発生量は、概ね２５万個／ｃｃであったが、人の手が電池蓋３２に接触した状態におけるマイナスイオンの発生量は継続して１００万個／ｃｃを越え、イオン増量作用を確実に発揮できることが確認できた。
【００３７】
上記のように、弾性開放具８３を利用して電池蓋３２をアースすると、アース用の金属端子が不要となり、部品点数を減少することができる。また、乾電池８の負極側の接続端子、即ち弾性開放具８３の取付部８４に一体に形成された接触部８６と電池蓋３２を利用してイオン発生装置のマイナスリードをアースすることになるので、アース用のリード線やアース電極を別途設ける必要がなく組み付け性がよい。使用者の手のひらや指を導電面４２により確実に接触させるために、電池蓋３２の外表面は外膨らみ状に湾曲するよう形成されている。この湾曲面の中途部に設けた滑り止め用のリブ４３も、手のひらや指を導電面４２に接触させることに役立っている。導電面４２は、電池蓋３２の裏面を含む表面全体に無電解メッキ処理を施したり、あるいは導電性の金属を蒸着するなどにより形成した導電性被膜で構成できる。また、電池蓋３２の全体が導電性の金属で形成されていてもよい。本実施例における電池蓋３２は、ＡＢＳ樹脂の表面全体をスズ・コバルトメッキしたものを使用した。このアース構造を採用するにあたっては、本体ケース１は必ずしも折り畳み可能に構成してある必要はない。
【００３８】
図５においてブラシユニット２は、短冊状のブラシベース４５と、一群のブリッスル４６とを一体に成形したプラスチック成形品からなり、ブラシベース４５が第１ケース３の基壁２０にスライド装着されて、基壁２０に装着したストッパー片４７で抜け止め状に保持される。ブラシベース４５の中央には、マイナスイオンを送出するための吹出口４８を設けてあり、装着面にはＬ字状に折れ曲がる４個の係合爪４９を設けてある。
【００３９】
図４において回路基板９には、昇圧回路と、整流回路５３と、パルス発生回路５４を構成する電子部品等が実装されている。昇圧回路は、前段の発振回路５２と後段の昇圧回路部（１次トランス）５１からなり、乾電池８から供給される３Ｖの直流電流は前段の発振回路５２によってパルス化され、続けて後段の昇圧回路部５１によって１００Ｖ近くに昇圧変換される。昇圧変換されたパルスは、整流回路５３により整流され、サイダックやサイリスタ等で構成されるパルス発生回路５４によって高圧のパルスに変換される。このパルスは、第１ケース３内に収容したトランス（２次トランス）１１で４ＫＶに昇圧されて、放電体１２へ供給される。イオン発生装置が作動しているのを点灯表示するために、第２ケース４の前記基壁３４の連結ボス３２側寄り部位に発光ダイオード５０が配置されている。この配置により、携帯用ブラシの全折り畳み状態（携帯時）のとき、発光ダイオード５０が第１ケース３と対向する位置となるので、器物等から発光ダイオード５０が効果的に保護される。
【００４０】
図９および図１０において電源スイッチ１０は、一対のスイッチ端子５５を支持する端子ブロック５６と、一方のスイッチ端子５５を他方のスイッチ端子５５に接離操作するための切換えレバー５７と、切換えレバー５７をスイッチ端子５５に向かって揺動付勢するキックばね５８とを含み、これらのスイッチ部品を基板５９に組み付けてユニット部品化してある（図８参照）。電源スイッチ１０は、第１・第２ケース３・４が折り畳まれているときはオフ状態になっており、両ケース３・４を拡開操作するとオン状態に切り換わる。
【００４１】
そのために図９および図１０に示すように、第１ケース３の連結ボス２３の周面には、切換えレバー５７の一端を受け止める筒壁を設け、筒壁の一部に切換えレバー５７の端部５７ａが落ち込む凹部６０を設けてある。切換えレバー５７の端部５７ａが凹部６０内へ落ち込むと、その分だけ切換えレバー５７が揺動して、片方のスイッチ端子５５を押さえ付けるので、一対のスイッチ端子５５どうしを接触させて導通できる。
【００４２】
トランス１１、放電体１２、送風ファン１３、モーター１４、および中継基板１５は、第１ケース３の内ケース３Ａに対して、開口側面から図６に示すように組み込む。中央のホルダー２４に放電体１２を組み付け、突起２５と片方のホルダー２４との間にトランス１１を組み付ける。さらに、モーターホルダー２６にモーター１４を組み付ける。送風ファン１３は遠心ファンからなり、そのボスをモーター１４の出力軸に固定してモーター１４と一体化してある。中継基板１５はトランス１１と連結ボス２３との間の空間を利用して組み付ける。
【００４３】
上記の組み付け状態において、トランス１１、放電体１２、送風ファン１３およびモーター１４のうち、最も重量（１７ｇ）が大きなトランス１１はケース内の連結軸５寄りに配置し、次に重量（３ｇ）が大きな放電体１２はケース中央に配置し、最も重量（１．７ｇ）が小さな送風ファン１３およびモーター１４は内ケース３Ａの先端寄りに配置する。
【００４４】
このようにトランス１１がケース基端寄りに配されていると、第２ケース４を手で握った状態における、第１ケース３とその内蔵部品による重量モーメントを小さくでき、軽快に髪を梳くことができる。２個の乾電池８がグリップとなる第２ケース４内に設けてあることも、ブラシ全体が持ち重りするのを解消することに役立っている。また、重量物を連結軸５寄りに配置することで、髪を梳く動作中、第２ケース４に対して第１ケース３が連結軸５を中心に不用意に回動するのを防止できる。
【００４５】
内ケース３Ａにトランス１１を配することにより、内ケース３Ａの内部は、図１１および図１２に示すように、トランス１１の平坦周面１１ａとホルダー２４とで連結軸５に近い側の第１室６２と、連結軸５から離れた第２室６３とに区分される。放電体１２と、送風ファン１３およびモーター１４は第２室６３側に配してあるので、送風ファン１３から送給される空気流をトランス１１の平坦周面１１ａとホルダー２４とで堰き止めて、吹出口４８からマイナスイオンとともに送出できる。これにより、より多くのマイナスイオンを吹出口４８から送出できる。
【００４６】
先に説明したように、第１ケース３と第２ケース４とは折り畳み開閉できるが、折り畳み状態と拡開状態とをそれぞれ維持するために、第１・第２ケース３・４の連結部に節動機構が組み込まれている。図９・１０および図１４において節動機構は、第１ケース３側の連結ボス２３内に回転不能に組まれる固定節動板６５と、連結軸５にビス６６で相対回転不能に固定される可動節動板６７とからなる。
【００４７】
固定節動板６５は、ばね板材を素材とする座金状のプレス成形品からなり、周縁４箇所に回り止め用の脚片６８と節動溝６９とを交互に形成してある。可動節動板６７は固定節動板６５と同様のプレス成形品からなり、周縁の対向２箇所に先の節動溝６９と係合する突起７０を設け、内面２箇所に連結軸５の係合溝５ａと係合する脚片７１を折り曲げ形成してある。連結軸５は第２ケース４の連結ボス３７に相対回転不能に組み付けてある。従って、第１ケース３と第２ケース４とを拡開または折り畳み操作すると、両節動板６５・６７は相対回転して、全拡開位置と全折り畳み位置とのそれぞれにおいて、一対ずつの突起７０と節動溝６９とが係合してその位置を保持できる。
【００４８】
図６および図１２において、放電体１２はプラスチック成形品からなる電極ホルダー７２と、電極ホルダー７２に装着される針状の中心電極（放電電極）７３およびリング状の周囲電極７４と、両電極７３・７４を隔離区分する絶縁筒７５とでユニット部品化してある。電極ホルダー７２は、四角形状のフランジ７６と、フランジ７６の両面に突設される電極筒７７とを一体に備えており、フランジ７６に通気口７８を設けてある。電極筒７７の中心に中心電極７３を固定し、その外側を絶縁筒７５で囲み、電極筒７７の周面に周囲電極７４を配置してある。
【００４９】
上記のように構成したイオン発生装置によれば、トランス１１で昇圧した高電圧のうち、ダイオードを通過したマイナス電圧のみが中心電極７３に印加され、中心電極７３から周囲電極７４へ向かって電子が放出されるので、両電極の周辺の空気中の酸素分子がマイナスイオン化され、空気流とともに吹出口４８から放出される。微少水分を含むマイナスイオンは、毛髪の内部深くまで浸透して水分を補給でき、従って髪の水分率を高めることができる。頭部周辺に浮遊するマイナスイオンは、リラックス効果を高める作用も期待でき、イオン健康装置として利用することもできる。
【００５０】
図４の配線図において、第１ケース３内に配置したトランス１１の１次側および２次側のマイナスリード、放電体１２およびモーター１４のマイナスリード、さらに周囲電極７４のマイナスリードと、トランス１１とモーター１４のそれぞれのプラスリードを合計すると６本になる。これら６本のリード線は、第１・第２のケース３・４の連結部分を介して、第２ケース４内の回路基板９に接続することになる。そのためには両ケース３・４の連結ボス２３・３７を太く形成する必要がある。また、実施例で示す連結ボス２３の内径は１２ｍｍであるが、連結ボス２３と連結軸５との間の隙間に６本ものリード線を通すことはできない。そこで、先のマイナスリードを１本にまとめて、プラスリードとマイナスリードとの合計本数を３本にし、連結ボス２３・３７における配線が簡便に行えるようにした。具体的には、図４に示すように、中継基板１５において先の４本のマイナスリードをまとめて１本化した。放電体１２のマイナスリードは、中継基板１５に接続せず、トランス１１の２次側のマイナスリードに直接接続したものであってもよい。また、モーター１４、送風ファン１３を備えず、イオン風や自然対流のみでマイナスイオンを送給できるタイプにおいては、当然、モーター１４のプラスリードとマイナスリードは省略されて、トランス１１と放電体１２だけのプラスリードとマイナスリードの集約となる。つまりプラスリード１本とマイナスリード３本が中継基板１５に接続され、プラスリード１本とマイナスリード１本が、第１・第２のケース３・４の連結部分を介して、第２ケース４内の回路基板９に接続することになる。
【００５１】
図２に示すように携帯用ブラシを円形に折り畳んだ状態においては、ブリッスル４６の下端が連結軸５の回動中心を通る水平面を越えて下面側へ突出しており、その分だけ第２ケース４の上面、即ち電池蓋３２は連結軸５の回動中心を通る水平面よりも下方へ凹んだ位置に設けてある。そのため、図１５（ａ）に示すように携帯用ブラシを平坦面に載置した状態では、連結ボス２３・３７とブリッスル４６の先端部とが平坦面に当って、第２ケース４は、先の凹み寸法に連結ボス２３・３７の半径寸法を加えた分だけ平坦面から浮き離れることとなり、第２ケース４を直接握り締めながら掴むことができる。図１５（ａ）に示すように第１ケース３の頂部に比べ第２ケース４の頂部が低い位置となるよう構成したことにより、図１５（ｂ）に示すように、携帯用ブラシを上下に反転した状態で平坦面に載置する場合には、吹出口４８が斜め上向きになるので、その状態でマイナスイオンを吹き出し供給できる。つまり、載置状態において人体のある手前側にマイナスイオンを供給できるので載置型イオン供給装置として使用できる。さらに、図１５（ａ）・（ｂ）は、全折り畳み位置から１８０°回動した全拡開位置の状態を示したものであるが、例えば、全折り畳み位置から１７０°の回動位置にもう１つ節度を設け、全拡開位置の手前で姿勢を維持できるようにすれば、図１５（ｂ）の反転状態のときに、より一層吹出口４８が傾斜するので載置型イオン供給装置としての使い勝手が一段と向上する。
【００５２】
上記の実施例以外に、本発明は、ヘアーブロッサーやヘアードライヤーなどの小型電気機器にも適用できる。電池８としては充電池を適用できる。本実施例では、連結軸５を横軸とし、第１ケース３と第２ケース４とを横軸まわりに回動することで折り畳むことができる構成としたが、連結軸５を縦軸とし、第１ケース３と第２ケース４を縦軸まわりに水平回動するよう構成したものであってもよい。
【図面の簡単な説明】
【図１】携帯用ブラシの縦断側面図である。
【図２】本体ケースを折り畳んだ状態での側面図である。
【図３】本体ケースを折り畳んだ状態での縦断側面図である。
【図４】マイナスイオン発生装置の実態配線図である。
【図５】第１ケースの分解斜視図である。
【図６】第１ケースとこれに実装される電装部品との分解斜視図である。
【図７】第２ケースの分解斜視図である。
【図８】第２ケースとこれに実装される電装部品との分解斜視図である。
【図９】図３におけるＡ−Ａ線断面図である。
【図１０】図１におけるＢ−Ｂ線断面図である。
【図１１】第１ケースの内部構造を示す縦断側面図である。
【図１２】第２ケースの内部構造を示す縦断側面図である。
【図１３】図１１におけるＥ−Ｅ線断面図である。
【図１４】節動機構の分解斜視図である。
【図１５】携帯用ブラシの使用形態を示す側面図である。
【符号の説明】
１　本体ケース
３　第１ケース
４　第２ケース
５　連結軸
８　電池
９　回路基板
１０　電源スイッチ
１１　トランス
１２　放電体
１３　送風ファン
１４　モーター
２３　第１ケースの連結ボス
３２　電池蓋
３７　第２ケースの連結ボス
３８　電池室
４２　導電面
４８　吹出口
６２　第１室
６３　第２室
【図１】
2004127717.tif 000003
【図２】
2004127717.tif 000004
【図３】
2004127717.tif 000005
【図４】
2004127717.tif 000006
【図５】
2004127717.tif 000007
【図６】
2004127717.tif 000008
【図７】
2004127717.tif 000009
【図８】
2004127717.tif 000010
【図９】
2004127717.tif 000011
【図１０】
2004127717.tif 000012
【図１１】
2004127717.tif 000013
【図１２】
2004127717.tif 000014
【図１３】
2004127717.tif 000015
【図１４】
2004127717.tif 000016
【図１５】
2004127717.tif 000017